(57)【要約】      （修正有）【課題】飼育ケース内の蒸れ防止につながり昆虫飼育には不可欠であった飼育ケースの掃除をする事もなく、使用後はケース毎分別ゴミとして捨てる事も可能である。【解決手段】飼育ケース１とフタ２の計５面に空気穴を開け、通気性を良くし飼育ケース内部の床材にも凹凸のあるものを使い、底面には接地面を点で支える床用の床材３ａを使い、その上に上用の床材３ｂを凹凸が重ならないように積み上げる。以上のような５面からの空気穴により通気性を良くし蒸れを防止する事により、掃除の手間を省き、昆虫購入時のままのケースの中で飼育できる為、移し換えの手間もかからず、ペットボトル素材で安価な為、使用後はケース毎捨てられる。【選択図】図２
0003115947.tif 000002
【実用新案登録請求の範囲】
【請求項１】
エサ用昆虫における通信販売購入時のダンボール箱をプラスチック素材に変え飼育ケースとしても使用でき、ケースに空気穴を開け、内部には住み家になる床材を入れ、掃除する手間が不要となり、使用後には、そのまま捨てる事も可能な使い捨て飼育ケース。  
【請求項２】
輸送と飼育に使うプラスチックケースは、ペットボトル素材の薄いもので、中の昆虫の状態が見やすい為に透明なケースを特徴とする請求項1に記載の飼育ケース。
【請求項３】
ケースに開ける空気穴は通気性確保の為、昆虫が通り抜けない程度の大きさの穴で2面以上対面上に開ける事を特徴とする請求項1又は2に記載の飼育ケース。
【請求項４】
ケース内部の床材には紙製タマゴパックを大きく切った物と細かく切った物を使い、大きいものは
ケース底面に凸を下にして置き、その上に細かいものを1つずつ凹凸が重なり合わないように積み上げることを特徴とする請求項１〜３のいずれかに記載の飼育ケース。
【請求項５】
ケース内を清潔に保つ為に床材をエサ皿と野菜皿として使うことを特徴とする請求項１〜４のいずれかに記載の飼育ケース。
【請求項６】
前記飼育ケース１〜５を用い請求の範囲とする。                                                              
【考案の詳細な説明】
【技術分野】
【０００１】
本考案は、昆虫の飼育ケースへの移し換えや掃除の手間がいらず、購入時のまま飼育できるケースに関するものである。
【背景技術】
【０００２】
従来エサ用昆虫は購入した時の箱から飼育ケースに移し換える手間があり、飼育ケースもプラスチック素材なので通気性が悪く蒸れてケース内が汚れ頻繁に掃除をしなければいけないなど、ペットのエサという事なのに手間がとてもかかり、生き餌＝大変というイメージがあった。
【考案の開示】
【考案が解決しようとする課題】
【０００３】
上述した方法では購入時の箱から飼育ケースに移し換える時、飼育ケースの方が小さくて移し換えが難しく、昆虫も逃げ出してしまう事になる。飼育ケース本体も通気性が悪い為、蒸れの原因になり、飼育ケースが汚れ掃除をしなければいけなかった。ところが本考案では購入時の箱と飼育ケースを同一にする事により手間が省け、通気性の高い飼育ケースにすることで汚れにくくし、掃除も不要となり、手軽に誰でも使え前述の欠点を解決しようとするものである。
【課題を解決するための手段】
【０００４】
本考案は、ペットボトル素材の薄いプラスチックで出来ているプラスチックケースを使い購入時から飼育に至るまで1つのケースで使え、使用後には分別ゴミとして捨てる事も可能。ケースも通気性という点で空気の流動性を作る為に、底面以外すべての面に昆虫が通り抜けない程度の穴を開け、内部には昆虫の住み家になるよう、湿気に強い素材で凹凸のある床材を使う。特に底面部は昆虫の糞がたまったり空気が通りにくい為、床材とケース底面の接点を点で支える形で底面部の床材を置き、その上に凹凸が重なり合わず住み家になるように積み上げる事で、底面部の通気性及びケース内の空気流動性も確保しケース内が汚れない為に床材をエサ皿と野菜皿として用いる。
【考案の効果】
【０００５】
上述の様に、本考案の使い捨て飼育ケースは、通信販売購入時の箱と飼育ケースを同一にする事で、箱から移し換える際、昆虫が部屋に逃げ出したり、移し換える手間が全くかからなくなり、送られて来る時だけの梱包も不要となりゴミも減った。飼育ケースはペットボトル素材なので扱いやすく、ケースが透明な為、中の昆虫の状態が見やすくなっている。プラスチックケースに空気穴を対面に開ける事で、ケース内の空気が流動し蒸れを防ぎ、ケース内を清潔に保つ事が出来る。ケース内の床材においても、紙製タマゴパックは水分を含んでも型くずれしにくく、底面は凸の部分を下にする事で接点を点で支える形になり、空気の流動性はもちろんの事、昆虫の糞がたまって空気が通りにくくするのも防いだ。上に積み上げた床材も凹凸を重ならないようにする事で、昆虫に必要なかくれ家も確保でき、床材をエサ皿、野菜皿にも使う事で、よりケース内を清潔に保てる。よって今まで必要とされてきたケース内の掃除が全く不要となり、使用後にはケース毎捨てる事も可能となる。これらの事により、今までペットへの生き餌の使用がとても大変な事なのでなかなか使えないと思われてきた概念を、この考案によって昆虫の生き餌がもっと手軽に簡単に使える効果がある。
【考案を実施するための最良の形態】
【０００６】
ペットボトル素材のプラスチックケースを飼育ケースとし、昆虫の状態が見やすいように透明なケースが好ましいが、牛乳パック素材の入れ物やダンボール、ペットボトル素材以外のプラスチックケースでもよい。
【０００７】
ケースのフタ部分は、片手で開閉しやすいブロック型（はめ込み式）とするが、ツイスト型（ネジ式）やネット状でもよい。
【０００８】
ケース内の通気性確保の為、2面以上対面上に開けた空気穴を昆虫が通り抜けない程度の大きさで底面以外5面に開ける事が最も好ましい。穴を開けない場合には、網状や金網状や格子などで代用してもよい。
【０００９】
住み家となる床材は紙製タマゴパックが湿気にも強く、くずれにくい為好ましいが、ダンボールや新聞紙等の紙類を用いてもよい。
【００１０】
床材の設置は大きめに切った物と小さめに切った物で底面には土台になる大きめに切ったものを凸の部分が下向きで、接地面を点で支えるようにし、その上に小さめに切った物を凹凸が重なり合わないように積み上げる形が好ましいが、厚紙やダンボール素材でも新聞紙等でも床材として使え、形もジャバラ状や丸めた形などでもよい。
【００１１】
紙製タマゴパックの床材を細かく切った方のくぼみにエサと野菜をそれぞれ入れ、エサ皿と野菜皿として使いケース内が清潔に保てる。
【００１２】
空気穴を開けた事と、床材を点で支えた事で通気性を確保し、空気が流動する事でケース内が蒸れず清潔に保て、掃除をする手間がなくなり、使用後には、そのままケース毎捨てる事も可能になる。
【実施例１】
【００１３】
以下、添付図面に従って一実施例を説明する。１はペットボトル素材のプラスチックケース本体底面以外4面に昆虫の通らない程度の空気穴を開けたもの２はブロック型の片手で開閉しやすいもの。フタ部分にも空気穴を開け、内部には３ａの床材を凸が下に向くように底に置きその上に３ｂの凹凸が重ならないように交互に積み上げる。使用後はケース毎捨てる事が可能である。
【００１４】
上述での考案を実際に飼育ケースに昆虫（コオロギ）のＭサイズを入れ実験した結果、狭いケース内であるにも関わらず、当初見込みの3週間を過ぎても１匹も死なずに行き、4週間目で初めて1匹づつ死んでいったがケース内は蒸れる事なく最後まで清潔に保て、本考案が実証された。    
【図面の簡単な説明】
【００１５】
【図１】本考案の使い捨て飼育ケースの側面図である。
【図２】本ケースの全体図である。
【図３】床材の形状である。        ａ  底用床材の側面図である。        ｂ  上用床材の側面図である。
【符号の説明】
【００１６】
１  プラスチックケース
２  フタ
３  床材
ａ  底用の床材
ｂ  上用の床材
【図１】
0003115947.tif 000003
【図２】
0003115947.tif 000004
【図３】
0003115947.tif 000005
【手続補正書】
【提出日】平成17年8月25日(2005.8.25)
【手続補正１】
【補正対象書類名】実用新案登録請求の範囲
【補正対象項目名】全文
【補正方法】変更
【補正の内容】
【実用新案登録請求の範囲】
【請求項１】
プラスチック素材から形成されたプラスチックケースと、プラスチックケースに装着される蓋とから構成され、プラスチックケースには空気穴が設けられ、またプラスチックケース内には床材が入っていることを特徴とする飼育ケース。  
【請求項２】
プラスチックケースは透明なペットボトル素材から形成されていることを特徴とする請求項１に記載の飼育ケース。
【請求項３】
プラスチックケースに設けられる空気穴は入れる昆虫の大きさよりも小さく、このプラスチックケースの対向する２面に設けられていることを特徴とする請求項１又は２に記載の飼育ケース。
【請求項４】
床材は紙製タマゴパックを大きく切断した第１部材とこのタマゴパックを小さく切断した第２部材から構成され、第１部材はその凸部を下にしてプラスチックケースの底面に置かれ、第２部材はこの第１部材の上に凹凸が重なり合わないように積み上げられることを特徴とする請求項１〜３のいずれかに記載の飼育ケース。
【請求項５】
床材をエサ皿として用いることを特徴とする請求項１〜４のいずれかに記載の飼育ケース。
【手続補正２】
【補正対象書類名】明細書
【補正対象項目名】全文
【補正方法】変更
【補正の内容】
【考案の詳細な説明】
【技術分野】
【０００１】
本考案は、昆虫の飼育ケースへの移し換えや掃除の手間がいらず、購入時のまま飼育できる飼育ケースに関するものである。
【背景技術】
【０００２】
従来、エサ用昆虫は購入した時の箱から飼育するための飼育ケースに移し換えており、このように移し換えるための手間がかかるという問題がある。また、飼育ケースもプラスチック素材に蓋をする構成であるので、通気性が悪く蒸れてケース内が汚れ易く、頻繁に掃除をしなければいけないという問題がある。このようなことから、ペットのエサということなのに手間がとてもかかり、生き餌＝大変というイメージがあった。
【考案の開示】
【考案が解決しようとする課題】
【０００３】
上述した飼育ケースでは、購入時の箱から飼育ケースに移し換える時、飼育ケースの方が小さくて移し換えが難しく、移し換えがうまくいかないと昆虫が逃げ出してしまうことがあった。また、飼育ケース本体は通気性が悪いために、蒸れの原因になり、飼育ケースの汚れを掃除しなければならなかった。
【０００４】
本考案は、購入時の箱と飼育ケースを同一のものにすることによって移し換えの手間が省け、通気性を高くすることで汚れ難くすることができる飼育ケースを提供することである。
【課題を解決するための手段】
【０００５】
本考案の請求項１に記載の飼育ケースは、プラスチック素材から形成されたプラスチックケースと、プラスチックケースに装着される蓋とから構成され、プラスチックケースには空気穴が設けられ、またプラスチックケース内には床材が入っていることを特徴とする。
【０００６】
本考案の請求項２に記載の飼育ケースでは、プラスチックケースは透明なペットボトル素材から形成されていることを特徴とする。
【０００７】
本考案の請求項３に記載の飼育ケースでは、プラスチックケースに設けられる空気穴は入れる昆虫の大きさよりも小さく、このプラスチックケースの対向する２面に設けられていることを特徴とする。
【０００８】
本考案の請求項４に記載の飼育ケースでは、床材は紙製タマゴパックを大きく切断した第１部材とこのタマゴパックを小さく切断した第２部材から構成され、第１部材はその凸部を下にしてプラスチックケースの底面に置かれ、第２部材はこの第１部材の上に凹凸が重なり合わないように積み上げられることを特徴とする。
【０００９】
本考案の請求項５に記載の飼育ケースでは、床材をエサ皿として用いることを特徴とする。
【考案の効果】
【００１０】
本考案の請求項１に記載の飼育ケースによれば、プラスチックケースと、プラスチックケースに装着される蓋とから構成され、プラスチックケースには空気穴が設けられ、またプラスチックケース内には床材が入っているので、この飼育ケースを通信販売購入時の箱として、また飼育ケースとして使用することができ、購入時に箱から飼育ケースに移し換える必要がなくなる。これによって、移し換える手間が全くかからなくなり、また昆虫が部屋に逃げ出すこともなく、更に送るためのだけの梱包が不要となりゴミを少なくすることができる。
【００１１】
本考案の請求項２に記載の飼育ケースによれば、プラスチックケースは透明なペットボトル素材から形成されているので、取扱いが容易であり、またケース内の昆虫の状態を外から容易に見ることができる。
【００１２】
本考案の請求項３に記載の飼育ケースによれば、プラスチックケースに設けられる空気穴は入れる昆虫の大きさよりも小さいので、かかる空気穴から昆虫が外に逃げることがない。また、空気穴がプラスチックの対向する２面に設けられているので、ケース内の空気が流れて蒸れを防止することができる。
【００１３】
本考案の請求項４に記載の飼育ケースによれば、床材として紙製タマゴパックを切断したものを用いるので、水分を含んでも型くずれがしにくい。また、大きく切断したタマゴパックの第１部材はその凸部を下にしてプラスチックケースの底面に置かれるので、この凸部が接点として支えられるようになり、これによって、空気の流動性を確保することができるとともに、昆虫の糞がたまって空気が流れ難くなることを防止することができる。更に、小さく切断したタマゴパックの第２部材はこの第１部材の上に凹凸が重なり合わないように積み上げられるので、昆虫に必要なかくれ家も確保することができる。
【００１４】
本考案の請求項５に記載の飼育ケースによれば、床材をエサ皿として用いるので、ケース内を清潔に保つことができる。これによって、ケース内の清掃が不要となり、使用後のケースを捨てることもできる。
【考案を実施するための最良の形態】
【００１５】
以下、図面を参照して、本考案の飼育ケースについて説明する。図１は本考案の飼育ケースの側面図であり、図２は図１の飼育ケースの全体図であり、図３は、飼育ケース内に置かれる床材を示す図である。
【００１６】
図１図２において、この飼育ケースはペットボトル素材から形成されたプラスチックケース１を備え、このプラスチックケース１にフタ２が装着される。プラスチックケース１は透明な素材から形成するのが好ましく、このように透明に形成することによって、ケース１中の昆虫の状態が見やすくなる。なお、ケース１はペットボトル素材以外のプラスチックから形成するようにしてもよい。フタ２は、片手で開閉し易いブロック型（はめ込み式）のものであるが、ツイスト型（ネジ式）のものでもよい。
【００１７】
プラスチックケース１の対面する２面以上に空気穴が設けられ、この空気穴は昆虫が通り抜けない程度の大きさに形成されている。このように空気穴を設けることによって、プラスチックケース１内の通気性が確保される。この空気穴は、プラスチックケース１の底面以外の５面に設けるのが最も好ましい。このような空気穴に代えて、網状や金網状や格子などによって空気穴を構成するようにしてもよい。
【００１８】
住み家となる床材３は、図２に示すように、プラスチックケース１内に入れて昆虫のかくれ家として用いられる。床材３としては紙製タマゴパックが好ましく、このタマゴパックは湿気にも強く、またくずれにくいという特徴がある。この床材３は、ダンボールや新聞紙などの紙類を用いてもよい。
【００１９】
床材３としては、タマゴパックを大きく切断した第１部材３ａと、タマゴパックを小さく切断した第２部材３ｂとが用いられる。大きく切断した第１部材３ａは、土台になるように凸の部分が下向きとなるようにプラスチックケース１内に設置され、この凸状部分が接地して点で支えるようになる。また、小さく切断した第２部材３ｂは、第１部材３ａの上に置かれ、それらの凹部及び凸部が重なり合わないように積み上げて設置される。上述したように構成するのが好ましいが、床材として厚紙、ダンボール素材、新聞紙などを用いるようにしてもよく、その形態もジャバラ形状や丸めた形状などでもよい。
【００２０】
紙製タマゴパックの細かく切ったもの（床材としての第２部材）の凹部にエサと野菜をそれぞれ入れ、エサ皿と野菜皿として床材を用いるようにしてもよく、このようにエサ皿及び野菜皿として用いることによって、プラスチックケース１内を清潔に保つことができる。
【００２１】
上述した飼育ケースでは、空気穴を設けるとともに床材を点で支えたことにより、通気性を確保することができ、そして、空気が流動することによって、プラスチックケース１内における蒸れの発生を抑え、ケース１内を清潔に保つことができる。その結果、飼育ケース１を掃除をする必要がなくなり、使用後には、そのままケース１自体を捨てることも可能になる。
【実施例】
【００２２】
上述した構成の飼育ケースを製作した。ペットボトル素材のプラスチックケース本体底面以外の４面に昆虫の通らない程度の空気穴を開けたものを製作し、フタとしてブロック型の片手で開閉しやすいものを製作した。このフタにも空気穴を開け、内部には床材としての第１部材を凸部が下に向くように底に置き、その上に第２部材を凹凸が重ならないように交互に積み上げた。このような飼育ケースは使用後に捨てることが可能である。
【００２３】
上述したように製作した飼育ケースに昆虫（コオロギ）のＭサイズを入れて飼育実験を行った。この実験の結果、狭いケース内であるにも関わらず、当初見込みの３週間を過ぎても1匹も死なずに生き、４週間目で初めて1匹づつ死んでいったが、飼育ケース内は蒸れることなく最後まで清潔に保てた。この実験結果より、本考案の上述した効果が実証された。
【図面の簡単な説明】
【００２４】
【図１】本考案の飼育ケースの側面図である。
【図２】図１の飼育ケースの全体図である。
【図３】飼育ケース内に置かれる床材を示す図である。
【符号の説明】
【００２５】
１   プラスチックケース
２  フタ
３  床材
３ａ  底用の床材（第１部材）
３ｂ  上用の床材（第２部材）
【手続補正３】
【補正対象書類名】図面
【補正対象項目名】全図
【補正方法】変更
【補正の内容】
【図１】
0003115947.tif 000006
【図２】
0003115947.tif 000007
【図３】
0003115947.tif 000008